(57)【特許請求の範囲】
【請求項１】
記録用紙シートにランダムパターンによりタグを付すシステムであって、
第一ローラと、
前記第一ローラとともに狭部を形成する第二ローラと、
を備え、
前記第一ローラと第二ローラの内の少なくとも一つのローラが外表面にランダムパターンを有し、前記ランダムパターンの少なくとも一部が前記狭部を通過する前記記録用紙シートの少なくとも一部に付けられ、
該システムは更に、各記録用紙シートの識別のために各記録用紙シートの少なくとも一部に付けられた前記ランダムパターンの一部を記憶するメモリ装置を備えることを特徴とするシステム。
【発明の詳細な説明】
【０００１】
【発明の属する技術分野】
本発明は一般に、文書の出所を追跡し、文書が本物であることを確証することができる文書作成に関する。
【０００２】
【従来の技術】
文書の出所を追跡し、文書が本物であることを確証することができることは望ましいことが多い。通貨紙幣、無記名債券、株券などの文書は、文書の画像をスキャンし、スキャンされた画像から文書のコピーを作成することによって贋造することが可能である。文書の出所を追跡したりそれが本物であることを確証したりするのに用いられる現行の方法としては、印刷の際に文書に適用される擬似玉虫光沢斑（pseudo-random iridescent spots）と印刷の際に文書に形成されるデータ・グリフ（浮き文字；data  glyph）またはデジタル透かしとがある。
【０００３】
【発明が解決しようとする課題】
これらの方法は、識別マークを符号化するのに用いられる根本的な符号化アルゴリズムの秘密性に依存する。即ち、符号化アルゴリズムが解読されてしまうと、偽造者は、本物の文書と識別不可能な文書コピーを作成することができる。しかも、文書に識別マークを付ける符号化アルゴリズムを用いることは、プリンタのソフトウェアの複雑さを増すことになる。
【０００４】
文書の出所を追跡したり、文書が本物であることを確証したりする方法としては他に、透かしマーク、玉虫光沢のプランセット、発光インクやファイバー、紙に塗布された化学薬剤がある。しかし、これらの方法はすべて特殊な紙あるいは紙の特殊な処理が必要なので、文書を作成するコストが増大する。
【０００５】
【課題を解決するための手段】
本発明は、印刷の際に文書にランダムパターンを付けることによって、文書にタグを付けるシステムと方法を提供する。本発明のシステムと方法の実施形態の例の一つでは、外表面にランダムパターンを備えるローラを用いる。このローラともう一つ別のローラとの間に形成された狭部（nip）から文書が通過して出てくる時、このローラはランダムパターンの少なくとも一部を文書に転写する。先ほどのもう一つ別のローラの外表面には、ランダムパターンは備えられない。外表面にランダムパターンを備えるローラは、ランダムな粒状表面構造を有する材料で形成される。ローラの外表面に形成されたランダムパターンはユニークで、殆ど複製不可能である。文書に付けられたパターンはいわゆる帯域外（out-of-band）であり、このパターンはビジュアルでなく従来の画像再生システムでは再生することはできないことを意味する。文書に付けられたこのランダムパターンは検出でき、その表示はデータベースに記憶できる。
【０００６】
本発明のシステムと方法の実施形態の別例では、第一のローラと第二のローラ各個が外表面にユニークなランダムパターンを備え、両ローラ間に狭部を形成し、文書がこの狭部を通過して出てくる時、文書の両面にランダムパターンが付けられる。
【０００７】
本発明のシステムと方法の実施形態の別例では、ランダムパターン（複数を含む）を付けるローラ（複数を含む）の円周の長さが、文書ページを印刷する記録用紙シートの長さより大きく、ランダムパターン（複数を含む）の一部分しか前記文書ページ一枚に付けることができない。
【０００８】
本発明のシステムと方法の実施形態の別例では、ランダムパターン（複数を含む）を付けるローラ（複数を含む）円周の長さが、文書ページを印刷する記録用紙の長さより小さく、ランダムパターン（複数を含む）は前記文書ページ一枚に一回を超えて付けることができる。
【０００９】
本発明のシステムと方法の実施形態の別例では、各々ユニークランダムパターンを文書に付ける一連のローラが備えられているので、ユニークランダムパターンが文書に位相がずれた関係で付けられる。
【００１０】
本発明のシステムと方法の実施形態の別の例では、位相がずれた関係のランダムパターンを文書の両面に付けることができる。
【００１１】
本発明のシステムと方法の実施形態の別例では、外表面に形成されたランダムパターンに加えて、非ランダムパターンをローラの外表面に形成することができる。
【００１２】
本発明のこれらの機能と他の機能については、本発明のシステムと方法の実施形態の多岐にわたる例を以下に詳細に説明するので更に明白になることと思われる。
【００１３】
本発明のシステムと方法の実施形態の多岐にわたる例は、後記の図面の簡単な説明を参照して説明される。
【００１４】
【発明の実施の形態】
図１は、画像形成装置１０００を説明するブロック図である。画像形成装置１０００は、例えば、レーザプリンタ、コピー機、またはインクジェットプリンタでよい。画像形成装置１０００は、供給された記録用紙シートを画像形成エンジン１２００へ移送するインプット移送機構１１００を備える。記録用紙シートは、画像形成エンジン移送機構１２１０によって画像形成エンジン１２００を通って移送される。アウトプット移送機構１３００が記録用紙シートを画像形成エンジン１２００から収集個所に移送する。コントローラ１４００が、画像形成装置１０００のインプット移送機構１１００と、画像形成エンジン１２００と、画像形成エンジン移送機構１２１０と、アウトプット移送機構１３００とを制御する。
【００１５】
図２は、本発明のランダムパターンを備えるローラ１０の実施形態の一例を示す。図２に示されるように、ローラ１０の外表面１１には、ランダムパターンが形成されている。実施の形態の多岐にわたる例において、ローラ１０はランダムな粒状表面構造を有する材料で成形される。ローラ１０はセラミック、鋳鋼、プラスチック、またはガラスで形成することができる。外表面１１上のランダムパターンは大きな丸い凹凸模様でも、小さな丸い凹凸模様でも、あるいは鋭い形状の破片状模様でも差し支えない。このランダムパターンは、ローラ１０を形成する材料のランダムな粒状表面構造によって形成されるのであるけれども、理解しなければならないことは、実施形態の他の例では、ローラ１０の外表面に付けられるランダムパターンは、サンドブラストのような手法やランダムパターンを形成する他の機械加工技法を用いても付けることができるということである。シャフト１４は、ローラ１０を貫通し、ローラ１０の回転軸と一致しているのが普通である。シャフト１４はローラ１０に固定され、ローラ１０との関係では回転しないようになっている。理解しなければならないことは、シャフト１４は、ローラ１０とは別のものであり両端でローラ１０に固定されたものでも、あるいはローラ１０と一体構造で形成されたものでもよい。
【００１６】
ローラ１０を画像形成装置１０００に組み込む場合は、従来のローラ一式の内の１本と置き換えることによって組み込むことができる。別法としては、ローラ１０は画像形成装置１０００の製作時にオリジナルの機器として初めから組み込むことができる。本発明の実施形態の例では、ローラ１０は、画像形成装置１０００の内部にインプット移送機構１１００、画像形成エンジン移送機構１２１０、あるいはアウトプット移送機構１３００の一部として設置される。従って、ローラ１０が取り外されると、画像形成装置１０００は正しく機能しなくなる。従って、画像形成装置１０００をいじってローラ１０を取り外すようなことをすれば、このことは容易に検出できる。
【００１７】
図３は、一対のローラの実施形態第一例の透視図で、ローラ１０とローラ２０とを備え、ローラ２０はローラ１０と接触している。狭部５０はローラ１０と２０との間に形成される。ローラ２０は外表面にランダムパターンを有せず、例えば、ゴムで形成されている。ローラ１０は駆動装置３００で回転自在に駆動される。ローラ１０の両端はサポート２００で支持されている。アクチュエータ４００はサポート２００を狭部５０の方へ押す。駆動装置３００とアクチュエータ４００とはコントローラ１４００で制御される。記録用紙シートが狭部５０を通過するにつれて、ローラ１０は、記録用紙をインプリントしたり、エンボスしたり、孔あけしたりすることによって、記録用紙シートにランダムパターンを付ける。ローラ１０の外表面１１のランダムパターンが丸い凹凸模様の場合は、ランダムパターンは、記録用紙シートにインプリントしたり、エンボスしたりされて付けられる。ローラ１０の外表面１１のランダムパターンが鋭い形状の破片状模様の場合は、鋭い形状の破片状模様によって記録用紙シートが孔あけされ、記録用紙シートに小さな検出可能な孔のようなパターンが形成される。
【００１８】
ローラ１０がローラ２０に加える圧力は、アクチュエータ４００で付与されるが、コントローラ１４００でプログラムし、制御することができる。アクチュエータ４００で付与される圧力を示す値はコントローラ１４００のメモリに記憶することができる。記録用紙シートに付けられるランダムパターンは、記録用紙として感圧性シートを狭部５０に通すことによって登録しておくことができる。記録用紙シートに付けられるランダムパターンは、既知の技法を用いて決定することができる。例えば、ランダムパターンを有する感圧性シート上にインク付ローラを掛けることができる。パターン形成がインプリント、エンボス、または孔あけで行われた場合は、インクは文書に付けられない。得られた画像はスキャンして画像データベースに記憶できる。データベースは、分類して指標をつけておけば、未知の出所の記録用紙シート（複数を含む）を容易に識別できる。
【００１９】
記録用紙シートに付けられたランダムパターンの画像を形成するのに電子スキャンマイクログラフ（a scanning electron micrograph）を用いることもできる。電子スキャンマイクログラフで形成された画像は画像データベースに記憶できる。ローラ１０を備える画像形成装置で作成された記録用紙シートは、この記録用紙シートがローラ１０で形成されたランダムパターンを含んでいるかどうかを決定する既知の技法を用いて、その画像形成装置に容易に行き着くことが出来るし、その画像形成装置で形成されたものとして確証することもできる。
【００２０】
ローラ２０の外表面にはランダムパターンが備えられていない。従って、ローラ１０とローラ２０の間の狭部５０を通過する記録用紙シートには、片面だけにランダムパターンが付けられる。最初に記録用紙シートに画像を形成するのに用いられた画像形成装置からローラ１０を取り出して、これを別の画像形成装置に設置して異なる記録用紙シートに偽造画像を作成しようと試みても、オリジナルの画像形成装置と同一の狭圧力を生じるようにローラ１０を設置しない限り、偽造は不可能である。ローラ１０の設置が、狭圧力が異なって行われれば、インプリント、エンボス、穿孔の性質、サイズ、程度は、オリジナルの画像形成装置で形成され、データベースに記憶され、指標化されたパターンとは異なってくる。
【００２１】
サポート２００は、コントローラ１４００で制御されるアクチュエータ４００で押されるように図示されているけれども、理解しなければならないことは、本発明のシステムと方法の実施形態の多岐にわたる他の例では、サポート２００には、バイアス部材、例えば、バネを用いてバイアスを掛けることができ、その場合はローラ２０に加わるローラ１０の圧力の制御は受動状態になる。また、理解しなければならないことは、サポート２００がローラ２０の方を支持するようにもでき、サポート２００をアクチュエータ４００で押したり、バイアス部材で押したりもできることである。
【００２２】
図４は、本発明に従った一対のローラの実施形態第二例の透視図である。一対のローラのこの第二例では、ローラ１０は、外表面１１に第一ランダムパターンを備えているが、外表面３１に第二ランダムパターンを備えているローラ３０と相対して設置されている。ローラ３０は、ローラ３０の回転軸に一般に一致しているシャフト３４を備える。狭部５０がローラ１０，３０との間に形成される。図３に示される一対のローラの実施形態第一例と同様に、ローラ１０とローラ３０との間の狭圧力は、サポート２００経由でアクチュエータ４００によって加えられる。アクチュエータ４００で付与される圧力は、コントローラ１４００で制御することができる。ローラ１０は、記録用紙シートの片側の面に第一ランダムパターンを形成し、ローラ３０は、記録用紙シートの他面に第二ランダムパターンを形成する。ローラ１０とローラ３０とで記録用紙シート上に形成された第一と第二のランダムパターンは画像化して、これらを画像データベースに記憶することができる。データベースは、分類して指標をつけておけば、記録用紙シートを、識別、確証された記録用紙シートとすることができる。ローラ１０とローラ２０との部分の実施形態の第一例と同じように、ローラ１０とローラ３０とがオリジナルの画像形成装置から取り外され、もう一つ別の画像形成装置に取り付け、設置されたとしても、これらローラ１０とローラ３０とがオリジナルの画像形成装置と同じ関係かつオリジナルの画像形成装置と同じ狭圧力で第二の画像形成装置に再取り付けされない限りは、異なる記録用紙シートに偽造された画像を作成することは不可能になる。
【００２３】
図３に示される実施の形態の第一例と同じように、理解しなければならないことは、サポート２００には、バイアス部材を用いてバイアスを掛けることができ、その場合はローラ１０，３０間の圧力の制御は受動状態になり、サポート２００がローラ３０の方を支持するようにもできるということである。
【００２４】
図５は、図３に示される一対のローラの側平面図で、ローラ１０の円周の長さと記録用紙シート４０の長さ４１との間の関係を示す。図５に示されるように、外表面１１に第一ランダムパターンを備えているローラ１０はローラ２０と接触し狭部５０を形成する。実施の形態の例では、ローラ１０の直径１３は、ローラ１０の円周長さが狭部５０を通過する記録用紙シート４０の長さ４１より大きくなるようにする。ローラ１０の円周長さが記録用紙シート４０の長さ４１より大きいので、ローラ１０の外表面１１上のランダムパターンは一部分だけが記録用紙シート４０上に付けられる。ローラ１０の一端には回転エンコーダ１００が設けられている。実施の形態の多岐にわたる例では、回転エンコーダ１００は、ローラ１０を貫通するシャフト１４に備えられた物理的に独立の回転エンコーダ装置である。回転エンコーダ１００は、読み出しヘッド部材１０２を回転しながら通過するスケール部材１０１を備える。実施形態の他の例では、回転エンコーダ１００は、スケール部材１０１としてローラ１０の一部を用いることができる。
【００２５】
ローラ１０が最初に記録用紙シート４０に接触する時のスケール部材１０１の位置は、読み出しヘッド部材１０２で検出され、コントローラ１４００へ送られる。ローラ１０には、コントローラ１４００の制御下に駆動装置３００の駆動により、一連の記録用紙シート中の記録用紙シート４０のそれぞれがスケール部材１０１の同じ位置で記録用紙シート４０に接触するようにできる。別法としては、ローラ１０が、スケール部材１０１の異なる位置で一連の記録用紙シート中の各記録用紙シート４０に接触するようにできる。ローラ１０が、取り付けられていたオリジナルの画像形成装置から取り外されたと仮定しても、このローラが第二の画像形成装置に再取り付けされ、オリジナルな画像形成装置とスケール部材１０１の同じ位置で記録用紙シート（複数を含む）に接触させられない限りは、記録用紙シートを偽造することは不可能になる。
【００２６】
実施の形態のもう一つ別の例では、ローラ１０の直径１３が、ローラ１０の円周長さが記録用紙シート４０の長さ４１より短くなるように定められるので、ローラ１０の外表面１１上のランダムパターンは記録用紙シート４０上に一回を超えて付けられる。
【００２７】
ローラ２０は図３と５とではローラ１０と同じ直径を有するものとして描かれているが、理解しなければならないことは、ローラ２０の直径はなんでもよいということである。
【００２８】
図６は、図４に示される一対のローラの側平面図で、ローラ１０とローラ３０の円周の長さと記録用紙シート４０の長さ４１との間の関係を示す。図６に示されるように、外表面１１に第一ランダムパターンを備えているローラ１０は、外表面３１に第二ランダムパターンを備えているローラ３０とともに狭部５０を形成する。ローラ３０は駆動装置７００で回転自在に駆動される。ローラ３０の一端には回転エンコーダ１１０が設けられている。回転エンコーダ１１０は、読み出しヘッド部材１１２を回転しながら通過するスケール部材１１１を備える。ローラ１０，３０の直径１３，３３それぞれは、ローラ１０，３０の円周長さが記録用紙シート４０の長さ４１より大きくなるようにする。また、理解しなければならないことは、ローラ１０，３０の円周長さは記録用紙シート４０の長さ４１より短くすることもできるということである。
【００２９】
記録用紙シート４０が最初にローラ１０，３０それぞれに接触する時のスケール部材１０１，１１１の位置は、読み出しヘッド部材１０２，１１２で検出され、コントローラ１４００へ送られる。ローラ１０，３０には、コントローラ１４００の制御下に駆動装置３００，７００それぞれで制御をして、作成される一連の記録用紙シート中の各記録用紙シート４０に対しスケール部材１０１，１１１それぞれの同じ位置で記録用紙シート４０に接触するようにできる。別法としては、ローラ１０，３０が、スケール部材１０１，１１１とそれぞれの異なる位置で一連の記録用紙シート中の各記録用紙シート４０に接触するようにできる。ローラ１０，３０が、取り付けられていたオリジナルの画像形成装置から取り外されたと仮定しても、これらのローラが第二の画像形成装置に同じ関係に再取り付けされ、オリジナルな画像形成装置とスケール部材１０１，１１１の同じ位置で記録用紙シート（複数を含む）に接触させられない限りは、記録用紙シートを偽造することは不可能になる。
【００３０】
ローラ１０とローラ３０とは、図４と６とでは同じ直径を有するものとして描かれているが、理解しなければならないことは、ローラ１０，３０とは異なる直径を有し、ローラ１０，３０とは各々異なる円周長さを有し、その円周長さは記録用紙シート４０の長さ４１より長くても短くてもよいようにできることである。また、理解しなければならないことは、ローラ１０の円周長が記録用紙シート４０の長さよりも短くて、一方、ローラ３０の円周長が記録用紙シート４０の長さよりも長くてもよく、またその逆でもよいことである。
【００３１】
図７は、第一の一対のローラ１０とローラ２０とを含む複数ペアのローラの側平面図である。図７に示されるように、ローラ１０，２０は狭部５０を形成する。外表面にランダムパターンを備えるローラ８００と一端にスケール部材１２１を備える回転エンコーダ１２０とは、ローラ２１とにより狭部５２を形成する。ローラ２１の外表面にはランダムパターンは付けられていない。記録用紙シート４０が最初にローラ８００に接触する時のスケール部材１２１の位置は、読み出しヘッド部材１２２で検出され、コントローラ１４００へ送られる。外表面にランダムパターンを備えるローラ８１０と一端にスケール部材１３１を備える回転エンコーダ１３０とは、ローラ２２とにより狭部５４を形成する。ローラ２２の外表面にはランダムパターンは付けられていない。記録用紙シート４０が最初にローラ８１０に接触する時のスケール部材１３１の位置は、読み出しヘッド部材１３２で検出され、コントローラ１４００へ送られる。ローラ８００，８１０は、コントローラ１４００で制御されるそれぞれの駆動装置３１０，３２０により回転自在に駆動される。
【００３２】
記録用紙シート４０が狭部５０，５２，５４を通過するとき、ローラ１０，８００，８１０それぞれは、記録用紙シート４０にランダムパターンを転写する。これらのランダムパターンは、記録用紙シート４０上で相互に対して位相がずれている。各ローラ１０，８００，８１０それぞれが記録用紙シート４０に接触する時の各スケール部材１０１，１２１，１３１の位置は、読み出しヘッド部材１０１，１２１，１３２それぞれで検出され、コントローラ１４００へ送られる。各スケール部材１０１，１２１，１３１の位置は、各ローラ１０，８００，８１０それぞれで転写されたランダムパターンの位相差のシーケンス・コードを確立する。
【００３３】
ローラ１０，８００，８１０それぞれの駆動装置３００，３１０，３２０は、コントローラ１４００で制御され、各ローラ１０，８００，８１０は、スケール部材１０１，１２１，１３１それぞれの同じ位置で一連の記録用紙シート中の各記録用紙シート４０に接触するようにする。従って、記録用紙各シート４０は同じシーケンス・コードを有する。別法としては、ローラ１０，８００，８１０が、スケール部材１０１，１２１，１３１それぞれの異なる位置で一連の記録用紙シート中の各記録用紙シート４０に接触するようにもできるが、この場合は一連の文書中の各文書はユニークなシーケンス・コードを有する。
【００３４】
ローラ１０，８００，８１０が、取り付けられていたオリジナルの画像形成装置から取り外されたと仮定しても、これらのローラ１０，８００，８１０が第二の画像形成装置に同じ関係に再取り付けされ、オリジナルな画像形成装置とスケール部材１０１，１２１，１３１それぞれの同じ位置で記録用紙シート（複数を含む）に接触させられない限りは、記録用紙シートを偽造することは不可能になる。
【００３５】
各ローラ１０，８００，８１０の直径と円周は、互いに他のローラとは異なる。ローラ１０，８００，８１０の円周は、互いに素数比の関係になっている。換言すれば、ローラ１０，８００，８１０の円周の唯一の公約数は「１」である。例えば、ローラ１０の円周を７の長さとすれば、ローラ８００の円周は５で、ローラ８１０の円周は６とすることができる。３個のローラ１０，８００，８１０が図には描かれているが、理解しなければならないことは、ローラの個数は１個より多い個数ならば、各ローラの円周が相互に異なり、互いに素数比の関係になっている限りは、記録用紙シート４０に複数の、位相がずれたパターンを転写することができるということである。また、理解しなければならないことは、各ローラ２０，２１，２２の直径はなんでもよいということである。
【００３６】
図８は、ローラ１０，８００，８１０を含む複数ペアのローラの側平面図である。ローラ１０はローラ３０とにより狭部５０を形成する。ローラ８００は、外表面にランダムパターンを備えるローラ９００と一端にスケール部材１４１を備える回転エンコーダ１４０とにより狭部５２を形成する。ローラ９００は駆動装置７１０で回転自在に駆動される。ローラ９００が記録用紙シート４０に最初に接触する時のスケール部材１４１の位置は、読み出しヘッド部材１４２で検出され、コントローラ１４００へ送られる。ローラ８１０は、外表面にランダムパターンを備えるローラ９１０と一端にスケール部材１５１を備える回転エンコーダ１５０とにより狭部５４を形成する。ローラ９１０は駆動装置７２０で回転自在に駆動される。ローラ９１０が記録用紙シート４０に最初に接触する時のスケール部材１５１の位置は、読み出しヘッド部材１５２で検出され、コントローラ１４００へ送られる。
【００３７】
記録用紙シート４０が狭部５０，５２，５４を通過するとき、ローラ１０，８００，８１０のランダムパターンの位相がずれた関係で記録用紙シート４０の片面に転写され、更にローラ３０，９００，９１０のランダムパターンの位相がずれた関係で記録用紙シート４０の他面に転写される。記録用紙シート４０が最初にローラ１０，８００，８１０それぞれに接触する時のスケール部材１０１，１２１，１３１の位置は、記録用紙シート４０の第一面のシーケンス・コードを確立する。ローラ３０，９００，９１０が最初に記録用紙シート４０に接触する時のスケール部材１１１，１４１，１５１の位置は、記録用紙シート４０の他面のシーケンス・コードを確立する。ローラ１０，８００，８１０を回転させて、スケール部材１０１，１２１、１３１を一連の記録用紙シート中の記録用紙シート４０それぞれに同じ位置に接触するようにできるので、一連の記録用紙シート中の記録用紙シート４０のそれぞれは第一面上に同じシーケンス・コードを有することになる。ローラ３０，９００，９１０にも、同じように、一連の記録用紙シート中の記録用紙シート４０のそれぞれが記録用紙シートの他面上に同じシーケンス・コードを有するようにできる。別法としては、ローラ１０，３０，８００，９００，９１０が、スケール部材１０１，１１１，１２１，１４１，１３１，１５１それぞれの異なる位置で一連の記録用紙シート中の各記録用紙シート４０に接触するようにもできるが、この場合は一連の記録用紙シート中の各記録用紙シート４０は記録用紙シートの各面にユニークなシーケンス・コードを有する。
【００３８】
ローラ１０，３０，８００，９００，８１０，９１０が、取り付けられていたオリジナルの画像形成装置から取り外されたと仮定しても、これらのローラ１０，３０，８００，９００，８１０，９１０が第二の画像形成装置に同じ関係に再取り付けされ、オリジナルな画像形成装置とスケール部材１０１，１１１，１２１，１４１，１３１，１５１それぞれの同じ位置で記録用紙シート（複数を含む）に接触させられない限りは、記録用紙シートを偽造することは不可能になる。
【００３９】
各ペアのローラ１０と３０，８００と９００，８１０と９１０は、ペア内でそれぞれ同じ直径を有していると図では描かれているけれども、理解しなければならないことは、記録用紙シート４０の片面上に接触する各ローラの各円周の長さが互いに素数比の関係になっており、記録用紙シート４０の他面上に接触する各ローラの各円周の長さが互いに素数比の関係になっている限りは、各ペアのローラのペア内直径は等しくなくてもよいということである。また、理解しなければならないことは、３個のペアのローラが図には描かれて３個の狭部が形成されているのが示されているけれども、ローラの個数は１個より多い個数で、１個より多い個数の狭部を形成するならば、これらを用いて記録用紙シート４０の両面に複数の位相がずれたパターンを転写することができるということである。
【００４０】
図９は、本発明に従った実施の形態の一つ、外表面１１にランダムパターンと非ランダムパターンとを有するローラ１０の一例の斜視図である。ローラ１０は外表面１１にランダムパターンを有する。また、ローラ１０は、ローラ１０の長軸方向に延びる非ランダムパターン６０も外表面１１に有する。この非ランダムパターンは、商標や認証マークを示すことができる。非ランダムパターン６０を用いると、ローラで記録用紙シート４０に転写したランダムパターンの確証が簡易化もされる。データベースに記憶・登録されたランダムパターンの画像と、記録用紙シートとを比較する時に整合点が得られるからである。
【００４１】
図１０は、本発明に従った実施の形態の一つ、ランダムパターンと非ランダムパターン６０とを有するローラ１０の別例の一つの斜視図である。非ランダムパターン６０は、ローラ１０の円周方向に延びている。
【００４２】
図１１は、本発明に従った実施の形態の一つ、外表面にランダムパターンと非ランダムパターンを有するローラ１０の第二例の斜視図である。ローラ１０は外表面１１にランダムパターンを有する。また、ローラ１０は、ローラ１０の長軸方向に延びる非ランダムパターン６１も外表面１１に有する。この非ランダムパターン６１は、文書にインプリント、エンボス、ホールを形成する。非ランダムパターン６１によって形成されたインプリント、エンボス、ホールは、これらインプリント、エンボス、ホールを指の爪、ペーパー・クリップ、ペンまたは鉛筆などの硬いもので擦るとき、ユニークな音が発する。
【００４３】
図１２は、本発明従った実施の形態の一つ、外表面にランダムパターンと非ランダムパターンを有するローラ１０のもう一つ別の例の斜視図である。ローラ１０は外表面１１にランダムパターンを有する。また、ローラ１０は、ローラ１０の円周方向に延びる非ランダムパターン６１も外表面１１に有する。この非ランダムパターン６１は、文書にインプリント、エンボス、ホールを形成する。非ランダムパターン６１によって形成されたインプリント、エンボス、ホールは、これらインプリント、エンボス、ホールを指の爪、ペーパー・クリップ、ペンまたは鉛筆などの硬いもので擦るとき、ユニークな音が発する。
【００４４】
図示の非ランダムパターンは、長軸または円周のいずれかの方向に延びているけれども、理解しなければならないことは、この非ランダムパターンは、ローラ表面上いずれの方向にも、例えば、旋回方向にも延びることができるということである。また、理解しなければならないことは、ランダムパターンに加えて、複数の非ランダムパターンをローラの外表面に付けることができるし、ローラの外表面のどんな個所にも非ランダムパターン（複数を含む）を設けることもできるということである。
【００４５】
図示のランダムパターン（複数を含む）は、記録用紙シートが、外表面にランダムパターンを備える少なくとも一本のローラから形成される狭部を通って移送方向に走るときにこの記録用紙シートに付けられるようになっているけれども、理解しなければならないことは、ランダムパターンは、記録用紙シートの移送方向を横切る方向の記録用紙シートに付けることもできるということである。また、理解しなければならないことは、これらの記録用紙シートは、インプリント、エンボス、穿孔することは可能などんな材料からも形成することができ、その上にランダムパターン（複数を含む）が形成されるということである。また、理解しなければならないことは、上記ローラの幅は記録用紙シートの幅と等しくとも、あるいは記録用紙シートの幅よりも広くても、狭くても差し支えないということである。
【００４６】
理解すべきことは、図１と図３〜１０に示されるコントローラ１４００は、適切にプログラムされた汎用コンピュータの一部分として実装することができるということである。別法としては、この制御回路は、ＡＳＩＣ内の物理的に別個なハードウェア回路として、あるいはＦＰＧＡ，ＰＤＬ，ＰＬＡ，ＰＡＬを用いて、あるいは離散ロジック・エレメントまたは離散回路エレメントを用いて実装することができる。図１と図３〜１０に示される制御回路が取る特定の形は設計上の選択の問題であって、当業者には自明であり、予測可能である。
【００４７】
図１に示されるように、メモリ１４１０は、変更可能な揮発性および／または不揮発性メモリおよび／または不変更性メモリを用いて実装することができる。しかし、メモリ１４１０は、ＰＲＯＭ，光ＲＯＭディスク、例えば、ＣＤ−ＲＯＭまたはＤＶＤ−ＲＯＭ、およびディスクドライブなどを用いて実装することもできる。
【００４８】
以上、本発明は上記に略記された実施の形態の例に関連して説明されたが、多数の別法、修正、変形が当業者には明らかであることが明白である。従って、本発明の上記の実施の形態の例は、説明のために記載されたもので、限定を旨とするものではない。多岐にわたる変更が、本発明の精神と範囲から逸脱することなく可能であると思われる。
【図面の簡単な説明】
【図１】画像形成装置を示すブロック図である。
【図２】外表面にランダムパターンを備えるローラの実施形態第一例の斜視図である。
【図３】本発明に従った画像形成装置の図２のローラを備える一対のローラの斜視図である。
【図４】図２に示されるローラを２本備える一対のローラの斜視図である。
【図５】図３に示される一対のローラの側平面図で、ローラの円周長と記録用紙シートの長さとの関係を示す図である。
【図６】図４に示される一対のローラの側平面図で、ローラの円周長と記録用紙シートの長さとの関係を示す図である。
【図７】図３に示される一対のローラを含む複数ペアのローラの側平面図で、複数の位相がずれたランダムパターンを記録用紙シートに転写する場合を示す図である。
【図８】図４に示される一対のローラを含む複数ペアのローラの側平面図で、複数の位相がずれたランダムパターンを記録用紙シートに転写する場合を示す図である。
【図９】ランダムパターンと非ランダムパターンの実施形態の第一例を備えるローラの実施形態第二例の斜視図である。
【図１０】ランダムパターンと非ランダムパターンの実施形態の第二例を備えるローラの斜視図である。
【図１１】ランダムパターンと非ランダムパターンの実施形態の第三例を備えるローラの斜視図である。
【図１２】ランダムパターンと非ランダムパターンの実施形態の第四例を備えるローラの斜視図である。
【符号の説明】
１０，２０，２１，２２，３０，８００，８１０，９００，９１０  ローラ、１１，３１  外表面、１３  直径、１４  シャフト、４０  記録用紙シート、４１  長さ、５０，５２，５４  狭部、６０，６１  非ランダムパターン、１００，１１０，１２０，１３０，１４０，１５０  回転エンコーダ、１０１，１１１，１２１，１３１，１４１，１５１  スケール部材、１０２，１１２，１２２，１３２，１４２，１５２  読み出しヘッド部材、２００  サポート、３００，３１０，３２０，７００，７１０，７２０  駆動装置、４００  アクチュエータ、１０００  画像形成装置、１１００  インプット移送機構、１２００  画像形成エンジン、１２１０  画像形成エンジン移送機構、１３００  アウトプット移送機構、１４００  コントローラ、１４１０  メモリ。
【図１】
0004596558.tif 000002
【図２】
0004596558.tif 000003
【図３】
0004596558.tif 000004
【図４】
0004596558.tif 000005
【図５】
0004596558.tif 000006
【図６】
0004596558.tif 000007
【図７】
0004596558.tif 000008
【図８】
0004596558.tif 000009
【図９】
0004596558.tif 000010
【図１０】
0004596558.tif 000011
【図１１】
0004596558.tif 000012
【図１２】
0004596558.tif 000013